(57)【要約】【課題】原稿台を被覆する蓋部に汚れが付着していることを知らせることが可能な画像処理装置及びプログラムを提供する。【解決手段】画像形成装置は、原稿台に原稿が配置されてなく前記原稿台を被覆する蓋部が閉じられた状態で読取領域を読み取って取得した第１の画像から原稿台に付着している付着物の像を取得する取得手段と、原稿台に原稿が配置されている状態で読取領域を読み取って取得した第２の画像に取得された付着物の像が含まれていない場合に、前記蓋部に汚れが付着していることを通知する通知手段と、を備える。【選択図】図２
2020014122.tif 000002
【特許請求の範囲】
【請求項１】
原稿台に原稿が配置されてなく前記原稿台を被覆する蓋部が閉じられた状態で読取領域を読み取って取得した第１の画像から前記原稿台に付着している付着物の像を取得する取得手段と、
前記原稿台に前記原稿が配置されている状態で前記読取領域を読み取って取得した第２の画像に取得された前記付着物の像が含まれていない場合に、前記蓋部に汚れが付着していることを通知する通知手段と、
を備える、画像処置装置。
【請求項２】
前記通知手段は、前記第２の画像に前記付着部の像が含まれている場合に、前記原稿台上に汚れが付着していることを通知する、
請求項１に記載の画像処理装置。
【請求項３】
前記第２の画像から前記付着物の像を除去する除去手段をさらに備える、
請求項１又は２に記載の画像処理装置。
【請求項４】
前記除去手段は、前記第２の画像の内容情報と前記付着物の像との重なりを示す指標が予め定められた値未満の場合に、前記第２の画像から前記付着物の像を除去する、
請求項３に記載の画像処理装置。
【請求項５】
前記付着物の像が含まれている前記第２の画像を表示するよう制御する表示制御手段をさらに備える、
請求項１から４のいずれか１項に記載の画像処理装置。
【請求項６】
前記表示制御手段は、前記第２の画像のうち、前記付着物の像を含む特定の領域を拡大して表示するよう制御する、
請求項５に記載の画像処理装置。
【請求項７】
コンピュータを、
原稿台に原稿が配置されてなく前記原稿台を被覆する蓋部が閉じられた状態で読取領域を読み取って取得した第１の画像から前記原稿台に付着している付着物の像を取得する取得手段と、
前記原稿台に前記原稿が配置されている状態で前記読取領域を読み取って取得した第２の画像に前記付着物の像が含まれていない場合に、前記蓋部に汚れが付着していることを通知する通知手段として、
機能させるためのプログラム。
【発明の詳細な説明】
【技術分野】
【０００１】
本発明は、画像処理装置及びプログラムに関する。
【背景技術】
【０００２】
近年、コンタクトガラス上に付着する付着物の位置を特定可能な画像形成装置が提案されている（例えば、特許文献１参照。）。
【０００３】
特許文献１に記載された画像処理装置は、原稿を載置させるコンタクトガラスの下方で光源を移動させることによって原稿の画像データを読み取る画像読取手段を備えた画像形成装置において、コンタクトガラス上の付着物に起因する付着物画像データを検知する付着物画像データ検知手段と、原稿の画像データを読み取る前に、上記付着物画像データ検知手段が付着物画像データを検知した場合、その付着物を確認するか否かの選択をユーザから受け付ける確認受付手段と、上記確認受付手段が付着物を確認する旨の選択を受け付けた際に、検知された付着物画像データの位置に光源を移動させて、その光源を点灯させる付着物画像データ点灯手段と、を備える。
【先行技術文献】
【特許文献】
【０００４】
【特許文献１】特開２００９−２６７５８７号公報
【発明の概要】
【発明が解決しようとする課題】
【０００５】
本発明の課題は、原稿台を被覆する蓋部に汚れが付着していることを知らせることが可能な画像処理装置及びプログラムを提供することにある。
【課題を解決するための手段】
【０００６】
［１］原稿台に原稿が配置されてなく前記原稿台を被覆する蓋部が閉じられた状態で読取領域を読み取って取得した第１の画像から前記原稿台に付着している付着物の像を取得する取得手段と、
前記原稿台に前記原稿が配置されている状態で前記読取領域を読み取って取得した第２の画像に取得された前記付着物の像が含まれていない場合に、前記蓋部に汚れが付着していることを通知する通知手段と、
を備える、画像処置装置。
［２］前記通知手段は、前記第２の画像に前記付着部の像が含まれている場合に、前記原稿台上に汚れが付着していることを通知する、
前記［１］に記載の画像処理装置。
［３］前記第２の画像から前記付着物の像を除去する除去手段をさらに備える、
前記［１］又は［２］に記載の画像処理装置。
［４］前記除去手段は、前記第２の画像の内容情報と前記付着物の像との重なりを示す指標が予め定められた値未満の場合に、前記第２の画像から前記付着物の像を除去する、
前記［３］に記載の画像処理装置。
［５］前記付着物の像が含まれている前記第２の画像を表示するよう制御する表示制御手段をさらに備える、
前記［１］から［４］のいずれか１つに記載の画像処理装置。
［６］前記表示制御手段は、前記第２の画像のうち、前記付着物の像を含む特定の領域を拡大して表示するよう制御する、
前記［５］に記載の画像処理装置。
［７］コンピュータを、
原稿台に原稿が配置されてなく前記原稿台を被覆する蓋部が閉じられた状態で読取領域を読み取って取得した第１の画像から前記原稿台に付着している付着物の像を取得する取得手段と、
前記原稿台に前記原稿が配置されている状態で前記読取領域を読み取って取得した第２の画像に前記付着物の像が含まれていない場合に、前記蓋部に汚れが付着していることを通知する通知手段として、
機能させるためのプログラム。
【発明の効果】
【０００７】
請求項１、７に係る発明によれば、原稿台を被覆する蓋部に汚れが付着していることを知らせることができる。
請求項２に係る発明によれば、原稿台上に汚れが付着していること蓋部に汚れが付着していることと区別して知らせることができる。
請求項３に係る発明によれば、画像から付着物の像を除去することができる。
請求項４に係る発明によれば、付着物を除去することにより画像の内容情報が欠落することを抑制することができる。
請求項５に係る発明によれば、付着物の像を含む画像をユーザに視覚的に表示することができる。
請求項６に係る発明によれば、付着物の像の周辺を拡大して表示することができる。
【図面の簡単な説明】
【０００８】
【図１】図１は、本発明の一実施の形態に係る画像処理装置の制御系の一例を示すブロック図である。
【図２】図２は、画像読取部の構成の一例を示す模式図である。
【図３】図３は、ユーザ情報テーブルの一例を示す図である。
【図４】図４は、付着物情報の一例を示す図である。
【図５】図５は、原稿台を上面からみた模式図であり、（ａ）は、原稿が配置されていない原稿台の一例を示す図、（ｂ）は、原稿が配置されている原稿台を説明する図である。
【図６】図６は、操作表示部の一例を示す図であり、（ａ）は、付着物像の周辺を拡大して表示する例を示す図、（ｂ）は、付着物像を除去して読取画像を表示する例を示す図である。
【図７】図７は、図１に示す画像処理装置の動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像処理装置は、原稿台に原稿が配置されてなく原稿台を被覆する蓋部が閉じられた状態で読取領域を読み取って取得した第１の画像から原稿台に付着している付着物の像を取得する取得手段と、原稿台に原稿が配置されている状態で読取領域を読み取って取得した第２の画像に付着物の像が含まれていない場合に、蓋部に汚れが付着していることを通知する通知手段と、を備える。
【００１１】
［実施の形態］
図１は、本発明の一実施の形態に係る画像処理装置の制御系の一例を示すブロック図である。画像処理装置２は、例えば、スキャナや、スキャン機能を有する複合機等が該当する。この画像処理装置２は、各部を制御する制御部２０と、各種のデータを記憶する記憶部２１と、情報の入力及び表示を行う操作表示部２２と、原稿を読み取って読取画像を取得する画像読取部２４とを備える。
【００１２】
制御部２０は、ＣＰＵ（Central Processing Unit）、インターフェース等から構成されている。ＣＰＵは、記憶部２１に記録されたプログラム２１０に従って動作することにより、認証手段２００、カバー検知手段２０１、読取手段２０２、原稿検知手段２０３、付着物情報取得手段２０４、付着物検知手段２０５、表示制御手段２０６、警告手段２０７、除去手段２０８、実行手段２０９等として機能する。付着物情報取得手段２０４は、取得手段の一例である。表示制御手段２０６及び警告手段２０７は、通知手段の一例である。各手段の詳細については後述する。
【００１３】
記憶部２１は、ＲＯＭ（Read Only Memory）、ＲＡＭ（Random Access Memory）、ハードディスク等から構成され、プログラム２１０、ユーザ情報テーブル２１１、付着物情報２１２等の各種データを記憶する。なお、本明細書において、記憶部に情報を書き込む場合に「記憶」を用い、各種情報に情報を書き込む場合に「記録」を用いる。
【００１４】
操作表示部２２は、例えば、タッチパネルディスプレイであり、液晶ディスプレイ等のディスプレイにタッチパネルを重合配置した構成を有する。
【００１５】
図２は、画像読取部２４の構成の一例を示す模式図である。画像読取部２４は、原稿台２４２に配置された原稿２４０を光学的に読み取る。画像読取部２４は、読み取りの対象となる原稿２４０を支持するプラテンガラス等で形成された上面を備え、略直方体体状の形状を有する原稿台２４２と、この原稿台２４２を被覆する蓋部２４４（以下、「プラテンカバー２４４」ともいう。）とを備えている。
【００１６】
（ユーザ情報テーブル２１１）
図３は、ユーザ情報テーブル２１１の一例を示す図である。図３に示すように、ユーザ情報テーブル２１１には、例えば、操作者（以下、「ユーザ」ともいう。）の名前（ユーザ名）、ユーザを識別する識別情報（ユーザＩＤ）、パスワード等のユーザの認証に必要な情報（以下、「ユーザ情報」ともいう。）が記録されている。
【００１７】
また、原稿を読み取って取得した読取画像に、原稿台２４２に付着していた付着物５（図５（ａ）参照）の像５ａ（図６（ａ）参照、以下、「付着物像５ａ」ともいう。）が含まれているか否かを検知する機能（以下、「付着物検知機能」ともいう。）を有効とするか無効とするかを示す情報がユーザ情報と関連付けられて記録されている。付着物検知機能を有効とする場合、例えば、「ＯＮ」と記録され、無効とする場合、例えば、「ＯＦＦ」と記録される。
【００１８】
また、原稿台２４２に付着物５が付着しているか否か、すなわち原稿２４０の像（単に、「原稿２４０」ともいう。）が含まれていない読取画像に付着物像５ａが含まれているか否かを判定する基準となる第１の閾値、及び原稿２４０の像が含まれている読取画像に付着物像５ａが含まれているか否かを判定する一致率の基準となる第２の閾値がユーザ情報と関連付けて記録されている。第１及び第２の閾値の詳細については、後述する。
【００１９】
さらに、読取画像から付着物像５ａが検知された場合に自動補正（後述する）を行うか否かを示す情報（「ＯＮ」又は「ＯＦＦ」）がユーザ情報と関連付けられて記録されている。また、自動補正を行うように設定されている場合（「自動補正」欄の「ＯＮ」参照）、付着物像５ａと内容情報との重なり率を判定する基準となる第３の閾値がユーザ情報と関連付けられて記録されている。自動補正及び第３の閾値の詳細については、後述する。
【００２０】
（付着物情報２１２）
図４は、付着物情報２１２の一例を示す図である。図４に示すように、付着物情報２１２には、原稿台２４２に付着した付着物５に係る付着物像５ａに係る情報が記録されている。付着物５には、例えば、特定の色のインク等によりプラテンガラスに付着した印影や、異物等の汚れが含まれる。
【００２１】
なお、付着物５には、原稿２４０から直接的に付着した付着物のみならず、原稿２４０が配置されていない状態で、プラテンカバー２４４のうち原稿２４０と接する面（下面）に付着した乾きの状態の不完全なインク等が、原稿台２４２に移って付着した付着物も含まれる。
【００２２】
付着物情報２１２は、付着物５の形状を示す画像データ（以下、「付着物画像」ともいう。）や、当該付着物像５ａの読取領域２４３における位置を示す位置情報等を含む。付着物像５ａの位置情報は、例えば、付着物像５ａに係る画素の画素値と当該画素の座標値とを組み合わせて構成してもよい。ここで、ＸＫ（Ｋ＝１、２・・Ｎ）は、Ｘ軸方向の座標値、ここで、ＹＫ（Ｋ＝１、２・・Ｎ）は、Ｙ軸方向の座標値、ＩＫ（Ｋ＝１、２・・Ｎ）は、画素値であり、Ｋ及びＮは、自然数である。
【００２３】
なお、座標は、例えば、読取領域２４３の特定の点（例えば、図示左上端の点）を原点として設定してもよい。また、Ｘ軸及びＹ軸は、例えば、原稿台２４２の短辺の方向（主走査方向）及び長辺の方向（副走査方向）に設定してもよい。
【００２４】
次に、制御部２０を構成する各手段の詳細について、図５及び図６各図を参照して説明する。認証手段２００は、ユーザから入力された情報を記憶部２１に記憶されたユーザ情報と照合してユーザの認証を行う。
【００２５】
カバー検知手段２０１は、プラテンカバー２４４が閉じられたことを検知する。なお、プラテンカバー２４４が閉じられたことは、公知の技術、例えば、接触式や光学式等カバー開閉検知センサ（不図示）を用いて行ってもよい。
【００２６】
読取手段２０２は、上述した画像読取部２４を制御して原稿台２４２に配置された原稿２４０を読み取り読取画像を取得する。
【００２７】
原稿検知手段２０３は、原稿台２４２に原稿２４０が配置されているか否かを検知する。原稿を検知する方法には、公知の技術を用いてよい。例えば、原稿検知手段２０３は、光学式のセンサを用いて原稿の有無を検知してもよい。
【００２８】
図５は、原稿台２４２を上面からみた模式図であり、（ａ）は、原稿２４０が配置されていない原稿台２４２の一例を示す図、（ｂ）は、原稿２４０が配置されている原稿台２４２を説明する図である。なお、図５（ａ）は、原稿台２４２に印鑑のマークの付着物５が付着している例を示している。また、図５（ｂ）に示す配置関係おいて、付着物５が原稿２４０と原稿台２４２（プラテンガラスの面）との間に位置することを示すために縁部を破線で示した。但し、「印」文字は、説明の便宜上、実線で描いている点に留意されたい。
【００２９】
付着物情報取得手段２０４は、図５（ａ）に示すように、原稿台２４２に原稿２４０が配置されてなくプラテンカバー２４４が閉じられた状態で、読取手段２０２を制御して読取領域２４３を読み取り、原稿２４０が含まれていない読取画像を取得する。原稿２４０が含まれない読取画像は、第１の画像の一例である。
【００３０】
また、付着物情報取得手段２０４は、読取手段２０２により取得された原稿２４０が含まれていない読取画像から原稿台２４２に付着物５が付着しているか否か、すなわち、原稿２４０が含まれていない読取画像に付着物像５ａが含まれているか否かを検知する。
【００３１】
具体的には、付着物情報取得手段２０４は、原稿台２４２に原稿２４０が配置されていない場合に取得された読取画像に、予め定められた閾値を超える画素値を有する画素が含まれているか否かを検知することにより、原稿台２４２に付着物像５ａが含まれているか否かを検知する。
【００３２】
より具体的には、付着物情報取得手段２０４は、記憶部２１のユーザ情報テーブル２１１に記録された第１の閾値を超える画素値を有する画素が含まれているか否かを検知する。なお、図４で例示した第１の閾値は、画素が０〜２５５に亘る２５６個の階調を有する場合を例に挙げて示したものであるが、階調は２５６個に限定されるものではない。
【００３３】
また、付着物情報取得手段２０４は、原稿台２４２に付着物５が付着していることを検知した場合、第１の閾値を超える画素値を有する画素を抽出することにより、抽出した画素により形成された付着物５の形状を含む付着物画像を生成する。また、付着物情報取得手段２０４は、生成した付着物画像を記憶部２１の付着物情報２１２として記録する。
【００３４】
また、付着物情報取得手段２０４は、抽出した画素の座標値を付着物像５ａの位置情報として上述の付着物画像と関連付けて記憶部２１の付着物情報２１２として記録する。
【００３５】
なお、付着物情報取得手段２０４による原稿台２４２に付着物５が付着しているか否かの検知は、何らかの処理（以下、「ジョブ」ともいう。）が実行された後に毎回行ってもよく、特定の回数おきに行ってもよい。また、付着物情報取得手段２０４による検知は、複数の原稿２４０を連続で読み取るジョブが実行されたとき、当該連続する原稿２４０のうち最後の原稿２４０が読み取られた後のみに行うようにしてもよい。
【００３６】
付着物検知手段２０５は、図５（ｂ）に示すように、原稿台２４２に原稿２４０が配置されている状態で、読取手段２０２を制御して読取領域２４３を読み取り、原稿２４０が含まれている読取画像を取得する。原稿２４０が含まれている読取画像は、第２の画像の一例である。
【００３７】
また、付着物検知手段２０５は、読取手段２０２により取得された原稿２４０が含まれている読取画像に対して画像処理を行い、読取画像内に、原稿台２４２に付着した付着物５に係る付着物像５ａが含まれているか否かを検知する。具体的には、付着物検知手段２０５は、読取画像と付着物情報２１２として記録された付着物画像とを照合して、読取画像内に付着物像５ａが含まれているか否かを検知する。
【００３８】
例えば、付着物検知手段２０５は、読取画像を走査して付着物画像との一致する度合い（「一致率」ともいう。）を連続的に算出し、一致率が予め定められた値を超えた場合に、読取画像内に付着物像５ａが含まれていると判定する。具体的には、付着物検知手段２０５は、算出した一致率が、記憶部２１のユーザ情報テーブル２１１に記録された第２の閾値を超えた場合に、当該位置に付着物像５ａが存在していると判定する。
【００３９】
また、付着物検知手段２０５は、読取画像に付着物像５ａが含まれている場合に、付着物像５ａが読取画像に記載された内容に係る情報（以下、「内容情報」ともいう。）に一定の影響を与え得るか否かを判定する。内容情報には、文字からなる文字情報や、表や図形からなる図形情報が含まれる。
【００４０】
「内容情報に一定の影響を与え得る」場合とは、読取画像に含まれている原稿２４０の範囲内に付着物像５ａが含まれている場合をいう。
【００４１】
具体的には、付着物検知手段２０５は、原稿２４０の輪郭を検出して読取領域２４３における原稿２４０の範囲を特定するとともに、付着物情報２１２として記録された付着物像５ａの位置情報を参照し、付着物像５ａが原稿２４０の範囲内に含まれているか否かを判定する。
【００４２】
さらに、付着物検知手段２０５は、付着物像５ａと内容情報との重なりの程度を示す度合い（以下、「重なり率」ともいう。）を算出し、算出した重なり率が予め定められた値未満か否かを判定する。具体的には、付着物検知手段２０５は、算出した重なり率が記憶部２１のユーザ情報テーブル２１１に記録された第３の閾値未満か否かを判定する。
【００４３】
図６は、操作表示部の一例を示す図であり、（ａ）は、付着物像５ａの周辺を拡大して表示する例を示す図、（ｂ）は、付着物像５ａを除去して読取画像を表示する例を示す図である。表示制御手段２０６は、付着物検知手段２０５により当該読取画像に付着物像５ａが含まれていると判定された場合、図６（ａ）に示すように、当該読取画像を操作表示部２２の表示面２２ａに表示するよう制御する。
【００４４】
このとき、表示制御手段２０６は、当該読取画像に含まれている付着物像５ａの周辺２４０ａを拡大して表示するよう制御してもよく、付着物像５ａを強調して表示するよう制御してもよい。「付着物像５ａの周辺２４０ａ」とは、付着物像５ａの付近の領域をいい、例えば、付着物像５ａを含む特定のサイズの領域（例えば、矩形状）や、付着物像５ａの縁部を形成する画素から特定の画素数離れた画素で囲まれる領域が該当する。
【００４５】
警告手段２０７は、付着物検知手段２０５により当該読取画像に付着物像５ａが含まれていないと判定された場合、プラテンカバー２４４に汚れが付着していることを示す警告を出力する。ここで、警告は、公知の手段を用いてよく、例えば、音（アラーム）や音声、メール、ＬＥＤ等を用いて出力してよい。
【００４６】
また、警告手段２０７は、付着物検知手段２０５により当該読取画像に付着物像５ａが含まれていないと判定された場合、原稿台２４２（プラテンガラス）上に汚れが付着していることを示す警告を出力する。
【００４７】
なお、このとき、表示制御手段２０６は、上述の警告の内容を示すエラーメッセージを操作表示部２２の表示面２２ａにさらに表示するよう制御してもよい。
【００４８】
除去手段２０８は、付着物検知手段２０５により付着物画像と内容情報との重なり率が一定の値未満と判定された場合に、図６（ｂ）に示すように、読取画像から付着物像５ａを除去する（以下、「自動補正」ともいう。）。なお、図６（ｂ）に示すように、付着物像５ａのうち、内容情報（文字情報等）と重なっている部分５Ａａを除去せずに残してもよい。
【００４９】
実行手段２０９は、ユーザの操作により発行されるジョブの実行を指示する実行指示に応じて、ジョブを実行する。ジョブとは、画像処理装置２が備える各種機能をいい、例えば、スキャン、コピー、プリント、電子メール送信、ファクシミリ送信等が含まれる。
【００５０】
（実施の形態の動作）
次に、画像処理装置２の動作の一例について図７を参照して説明する。図７は、画像処理装置２の動作の一例を示すフローチャートである。認証手段２００は、ユーザから操作表示部２２に対して入力されたユーザ情報を、記憶部２１のユーザ情報テーブル２１１に記録されたユーザ情報と照合して、ユーザ認証を行う（Ｓ１）。
【００５１】
次に、ユーザにより原稿２４０が原稿台２４２に配置され、プラテンカバー２４４が閉じられると、カバー検知手段２０１は、プラテンカバー２４４が閉じられたことを検知する（Ｓ２）。
【００５２】
次に、読取手段２０２は、原稿台２４２に配置された原稿２４０を読み取り読取画像を取得する（Ｓ３）。記憶部２１に付着物情報２１２が記憶されている場合（Ｓ４：Ｙｅｓ）、付着物検知手段２０５は、読取画像を付着物画像と照合して読取画像内に付着物像５ａが含まれているか否かを判定する（Ｓ５）。
【００５３】
読取画像内に付着物像５ａが含まれていない場合（Ｓ５：Ｎｏ）、警告手段２０７は、プラテンカバー２４４に汚れが付着していることを示す警告を出力する。
【００５４】
読取画像に付着物像５ａが含まれている場合（Ｓ５：Ｙｅｓ）、付着物検知手段２０５は、付着物像５ａが内容情報に影響を与え得るか否かを判定する（Ｓ６）。
【００５５】
付着物画像が内容情報に影響を与え得る場合（Ｓ６：Ｙｅｓ）、表示制御手段２０６は、図６（ａ）に示すように、付着物像５ａを含む読取画像を操作表示部２２の表示面に表示するよう制御する（Ｓ７）。
【００５６】
自動補正を行うように設定されている場合（Ｓ８：Ｙｅｓ）、すなわち、ユーザ情報テーブル２１１の「自動補正」欄が「ＯＮ」に設定されている場合、除去手段２０８は、図６（ｂ）に示すように、読取画像から付着物像５ａを除去する（Ｓ９）。
【００５７】
なお、自動補正を行うように設定されていない場合（Ｓ８：Ｎｏ）、ユーザは、原稿台２４２のプラテンガラスの上面を拭き、付着物５を取り除く作業を行う。
【００５８】
実行手段２０９は、ユーザによるジョブの実行の指示に応じて、ジョブを実行する（Ｓ１０）。
【００５９】
次に、ユーザがプラテンカバー２４４を開け、原稿台２４２から原稿２４０を取り除き、再びプラテンカバー２４４を閉じると、カバー検知手段２０１は、プラテンカバー２４４が閉じられたことを検知する（Ｓ１１）。
【００６０】
次に、原稿検知手段２０３は、原稿台２４２に原稿２４０が配置されているか否かを検知する（Ｓ１２）。
【００６１】
原稿検知手段２０３が原稿台２４２に原稿２４０が配置されていないことを検知すると（Ｓ１２：Ｙｅｓ）、付着物情報取得手段２０４は、読取手段２０２を制御して読取領域２４３を読み取り、原稿２４０が含まれていない読取画像を取得する。
【００６２】
また、付着物情報取得手段２０４は、読取手段２０２により取得された原稿２４０が含まれていない読取画像から原稿台２４２に付着物５が付着しているか否かを検知する（Ｓ１３）。すなわち、付着物情報取得手段２０４は、読取画像に付着物像５ａが含まれているか否かを検知する。
【００６３】
付着物情報取得手段２０４が付着物像５ａを検知した場合（Ｓ１３：Ｙｅｓ）、付着物像５ａの位置情報を取得するとともに、付着物画像を生成して、記憶部２１の付着物情報２１２として記録する（Ｓ１４）。
【００６４】
なお、上記のステップＳ６の動作は、省略してもよい。すなわち、表示制御手段２０６は、付着物像５ａが内容情報に影響を与え得る場合か否かによらずに、読取画像に付着物像５ａが含まれている場合（Ｓ５：Ｙｅｓ）に、付着物像５ａを含む読取画像を操作表示部２２の表示面２２ａに表示するよう制御してもよい。
【００６５】
以上、本発明の実施の形態を説明したが、本発明の実施の形態は上記実施の形態に限定されるものではなく、本発明の要旨を変更しない範囲内で種々の変形、実施が可能である。例えば、原稿台２４２上に自動原稿搬送装置（ＡＤＦ：Auto Document Feeder）又は両面自動原稿搬送装置（ＤＡＤＦ：Dual Auto Document Feeder）等を設け、これら装置によって送られた原稿２４０から読取画像を読み取ってもよい。
【００６６】
また、例えば、必ずしもユーザごとに自動補正をするか否かを設定できるようにする形態に限定されるものではなく、ユーザによらず一律に自動補正を行うようにしてもよく、ユーザによらず一律に自動補正を行なわずにユーザの判断に応じて処理するようにしてもよい。また、ユーザによらずに一律に付着物検知機能を有効にしてもよい。
【００６７】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６８】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００６９】
２  画像処理装置
２０  制御部
２１  記憶部
２２  操作表示部
２２ａ  表示面
２４  画像読取部
２００  認証手段
２０１  カバー検知手段
２０２  読取手段
２０３  原稿検知手段
２０４  付着物情報取得手段
２０５  付着物検知手段
２０６  表示制御手段
２０７  警告手段
２０８  除去手段
２０９  実行手段
２１０  プログラム
２１１  ユーザ情報テーブル
２１２  付着物情報
２４０  原稿
２４２  原稿台
２４３  読取領域
２４４  蓋部（プラテンカバー）
５  付着物
５ａ  付着物像
５Ａａ  付着物の部分
【図１】
2020014122.tif 000003
【図２】
2020014122.tif 000004
【図３】
2020014122.tif 000005
【図４】
2020014122.tif 000006
【図５】
2020014122.tif 000007
【図６】
2020014122.tif 000008
【図７】
2020014122.tif 000009